【手続補正書】
【提出日】平成17年12月22日(2005.12.22)
【手続補正１】
【補正対象書類名】明細書
【補正対象項目名】発明の名称
【補正方法】変更
【補正の内容】
【発明の名称】画像処理方法、画像処理装置、コンピュータプログラム及び記録媒体
【手続補正２】
【補正対象書類名】明細書
【補正対象項目名】特許請求の範囲
【補正方法】変更
【補正の内容】
【特許請求の範囲】
【請求項１】  複数のコマ画像を一覧的に配置してなるマルチ画面画像を生
成して記録媒体に記録しておき、上記記録しておいたマルチ画面画像の中から任意のコマ画像を切り出し、上記切り出したコマ画像を動画像が映し出されている表示画面上の任意の位置にミックス表示するようにしたことを特徴とする画像処理方法。
【請求項２】  上記マルチ画面画像を複数個生成して上記記録媒体に記録しておき、上記記録しておいた複数のマルチ画面画像の中から任意のマルチ画面画像を選択するとともに、上記選択したマルチ画面画像中の任意のコマ画像を切り出し、上記切り出したコマ画像を動画像が映し出されている表示画面上の任意の位置にミックス表示するようにしたことを特徴とする請求項１に記載の画像処理方法。
【請求項３】  記録媒体に記録された画像データを読み出し、上記読み出した画像データをコマ画像として表示画面上の任意の位置に任意の大きさで表示可能なマルチ画面画像を生成するマルチ画面画像生成工程と、
上記マルチ画面画像生成工程で生成されたマルチ画面画像を記録媒体に記録するマルチ画面画像記録工程と、
上記マルチ画面画像記録工程で記録されたマルチ画面画像を読み出し、上記読み出したマルチ画面画像の中から任意のコマ画像を切り出すコマ画像切り出し工程と、
上記コマ画像切り出し工程で切り出されたコマ画像を、新たな画像データに対して任意の条件に基づいて合成する合成工程とを有することを特徴とする画像処理方法。
【請求項４】  上記マルチ画面画像記録工程では、上記マルチ画面画像を上記記録媒体に記録するときに、それぞれのコマ画像に対して、取り込まれた順にマルチ表示用アドレス情報を付加して記録することを特徴とする請求項３に記載の画像処理方法。
【請求項５】  上記合成工程では、上記コマ画像の表示順序、上記表示画面を分割する領域の数、上記コマ画像を表示する分割領域の位置、上記コマ画像のミックス順序または上記コマ画像を表示する時間の少なくとも何れか１つの条件に基づいて上記コマ画像を上記新たな画像データに合成することを特徴とする請求項３または４に記載の画像処理方法。
【請求項６】  複数のコマ画像を一覧的に配置してなるマルチ画面画像を生成して記録媒体に記録しておき、上記記録しておいたマルチ画面画像の中から任意のコマ画像を切り出し、上記切り出したコマ画像を動画像が映し出されている表示画面上の任意の位置にミックス表示する手順をコンピュータに実行させることを特徴とするコンピュータプログラム。
【請求項７】  記録媒体に記録された画像データを読み出し、上記読み出した画像データをコマ画像として表示画面上の任意の位置に任意の大きさで表示可能なマルチ画面画像を生成するマルチ画面画像生成工程と、
上記マルチ画面画像生成工程で生成されたマルチ画面画像を記録媒体に記録するマルチ画面画像記録工程と、
上記マルチ画面画像記録工程で記録されたマルチ画面画像を読み出し、上記読み出したマルチ画面画像の中から任意のコマ画像を切り出すコマ画像切り出し工程と、
上記コマ画像切り出し工程で切り出されたコマ画像を、新たな画像データに対して任意の条件に基づいて合成する合成工程とをコンピュータに実行させることを特徴とするコンピュータプログラム。
【請求項８】  上記請求項６または７に記載のコンピュータプログラムを記録したことを特徴とするコンピュータ読み取り可能な記録媒体。
【請求項９】  記録媒体に記録された画像データを読み出し、上記読み出した画像データをコマ画像として表示画面上の任意の位置に任意の大きさで表示可能なマルチ画面画像を生成するマルチ画面画像生成手段と、
上記マルチ画面画像生成手段で生成されたマルチ画面画像を記録媒体に記録するマルチ画面画像記録手段と、
上記マルチ画面画像記録手段で記録されたマルチ画面画像を読み出し、上記読み出したマルチ画面画像の中から任意のコマ画像を切り出すコマ画像切り出し手段と、
上記コマ画像切り出し手段で切り出されたコマ画像を、新たな画像データに対して任意の条件に基づいて合成する合成手段とを有することを特徴とする画像処理装置。
【手続補正３】
【補正対象書類名】明細書
【補正対象項目名】０００１
【補正方法】変更
【補正の内容】
【０００１】
【発明の属する技術分野】
本発明は画像処理方法、画像処理装置、コンピュータプログラム及び記録媒体に関し、特に、画像合成処理に関するものである。
【手続補正４】
【補正対象書類名】明細書
【補正対象項目名】００１４
【補正方法】変更
【補正の内容】
【００１４】
【課題を解決するための手段】
本発明の画像処理方法は、複数のコマ画像を一覧的に配置してなるマルチ画面画像を生成して記録媒体に記録しておき、上記記録しておいたマルチ画面画像の中から任意のコマ画像を切り出し、上記切り出したコマ画像を動画像が映し出されている表示画面上の任意の位置にミックス表示するようにしたことを特徴としている。
また、本発明の画像処理方法は、記録媒体に記録された画像データを読み出し、上記読み出した画像データをコマ画像として表示画面上の任意の位置に任意の大きさで表示可能なマルチ画面画像を生成するマルチ画面画像生成工程と、上記マルチ画面画像生成工程で生成されたマルチ画面画像を記録媒体に記録するマルチ画面画像記録工程と、上記マルチ画面画像記録工程で記録されたマルチ画面画像を読み出し、上記読み出したマルチ画面画像の中から任意のコマ画像を切り出すコマ画像切り出し工程と、上記コマ画像切り出し工程で切り出されたコマ画像を、新たな画像データに対して任意の条件に基づいて合成する合成工程とを有することを特徴とする。
【手続補正５】
【補正対象書類名】明細書
【補正対象項目名】００１５
【補正方法】変更
【補正の内容】
【００１５】
本発明のコンピュータプログラムは、複数のコマ画像を一覧的に配置してなるマルチ画面画像を生成して記録媒体に記録しておき、上記記録しておいたマルチ画面画像の中から任意のコマ画像を切り出し、上記切り出したコマ画像を動画像が映し出されている表示画面上の任意の位置にミックス表示する手順をコンピュータに実行させることを特徴としている。
また、本発明のコンピュータプログラムは、記録媒体に記録された画像データを読み出し、上記読み出した画像データをコマ画像として表示画面上の任意の位置に任意の大きさで表示可能なマルチ画面画像を生成するマルチ画面画像生成工程と、上記マルチ画面画像生成工程で生成されたマルチ画面画像を記録媒体に記録するマルチ画面画像記録工程と、上記マルチ画面画像記録工程で記録されたマルチ画面画像を読み出し、上記読み出したマルチ画面画像の中から任意のコマ画像を切り出すコマ画像切り出し工程と、上記コマ画像切り出し工程で切り出されたコマ画像を、新たな画像データに対して任意の条件に基づいて合成する合成工程とをコンピュータに実行させることを特徴とする。
【手続補正６】
【補正対象書類名】明細書
【補正対象項目名】００１６
【補正方法】変更
【補正の内容】
【００１６】
本発明の記録媒体は、上記に記載のコンピュータプログラムを記録したことを特徴としている。
本発明の画像処理装置は、記録媒体に記録された画像データを読み出し、上記読み出した画像データをコマ画像として表示画面上の所定任意の位置に所定任意の大きさで表示可能なマルチ画面画像を生成するマルチ画面画像生成手段と、上記マルチ画面画像生成手段で生成されたマルチ画面画像を記録媒体に記録するマルチ画面画像記録手段と、上記マルチ画面画像記録手段で記録されたマルチ画面画像を読み出し、上記読み出したマルチ画面画像の中から所定任意のコマ画像を切り出すコマ画像切り出し手段と、上記コマ画像切り出し手段で切り出されたコマ画像を、新たな画像データに対して所定任意の条件に基づいて合成する合成手段とを有することを特徴とする。
【手続補正７】
【補正対象書類名】明細書
【補正対象項目名】００１７
【補正方法】変更
【補正の内容】
【００１７】
【発明の実施の形態】
[第１の実施の形態]
図１は、本発明の第１の実施の形態における撮像装置の構成を示すブロック図である。上述した図７で示した従来の撮像装置例におけるブロック図と同じ符号で示した構成部分は、従来例と同様の機能を有する構成部であり、詳細な説明を省略する。
【手続補正８】
【補正対象書類名】明細書
【補正対象項目名】００１８
【補正方法】変更
【補正の内容】
【００１８】
図１において、１０ａは、図７に示した従来の撮像装置における信号処理装置１０の機能に加えて、マルチ画面画像を生成する機能と、液晶パネル１４に映し出される動画像上に上記生成したマルチ画面画像をミックスさせる機能とが付加された信号処理装置である。
【手続補正９】
【補正対象書類名】明細書
【補正対象項目名】００１９
【補正方法】変更
【補正の内容】
【００１９】
また、１２ａは、図７に示した撮像装置の制御装置１２の機能に加えて、信号処理装置１０ａによるマルチ画面画像の生成・表示のための制御機能と、マルチ画面画像のコマ画像ごとに動画像にミックスするためのミックス制御機能とが付加された制御装置である。